(57)【要約】      （修正有）【課題】必要な注湯時間を確保した上で注湯速度を高速化できる注湯設備を提供する。【解決手段】注湯設備が、造型された鋳型を搬送する上流側搬送ラインと、注湯された鋳型を搬送する下流側搬送ラインとの間に配設される注湯設備であって、注湯位置が前記２つの搬送ラインの平行方向に並列になるように配設された２台の注湯機２ａ、２ｂと、該２台の注湯機の前方位置における前記２つの搬送ライン間に前記２つの搬送ラインに直交する方向に設置された２台のトラバーサ３ａ、３ｂと、該トラバーサ上にそれぞれ載置され該トラバーサ上を走行可能な走行台車と、該走行台車のそれぞれに設置され鋳型を上流側搬送ラインから下流側搬送ラインに搬送可能なローラユニット６ａ、６ｂ、７ａ、７ｂと、を備えたことを特徴とする。【選択図】図２
2009202215.tif 000002
【特許請求の範囲】
【請求項１】
造型された鋳型を搬送する上流側搬送ラインと、注湯された鋳型を搬送する下流側搬送ラインとの間に配設される注湯設備であって、注湯位置が前記２つの搬送ラインの平行方向に並列になるように配設された２台の注湯機と、該２台の注湯機の前方位置における前記２つの搬送ライン間に前記２つの搬送ラインに直交する方向に設置された２台のトラバーサと、該トラバーサ上にそれぞれ載置され該トラバーサ上を走行可能な走行台車と、該走行台車のそれぞれに設置され鋳型を上流側搬送ラインから下流側搬送ラインに搬送可能なローラユニットと、を備えたことを特徴とする注湯設備。
【請求項２】
請求項１記載の注湯設備において、前記走行台車は各トラバーサに２台ずつ載置され、前記ローラユニットは各走行台車に１台ずつ設置されることを特徴とする注湯設備。
【請求項３】
請求項１記載の注湯設備において、前記走行台車は各トラバーサに１台ずつ載置され、前記ローラユニットは各走行台車に２台ずつ設置されることを特徴とする注湯設備。
【発明の詳細な説明】
【技術分野】
【０００１】
本発明は、注湯設備に関する。さらに詳しくは、２台の注湯機およびトラバーサを用いる注湯設備に関する。
【背景技術】
【０００２】
従来、造型された鋳型に対し注湯する注湯設備として、一つの注湯機を用いて造型ラインより搬送されてくる鋳型（mold）に対し１個ずつ注湯する注湯設備が知られている（例えば、特許文献１参照）。
【０００３】
【特許文献１】特開平１０−３２３７４９（図１）
【発明の開示】
【発明が解決しようとする課題】
【０００４】
しかしながら、上記従来の注湯設備においては、一つの注湯機により注湯を行うために、注湯に時間がかかるという問題がある。即ち、一つの注湯機により注湯を行う場合には、その注湯設備の注湯速度は（注湯時間＋給湯時間）／moldであり、仮に注湯速度が造型速度（造型時間／mold）よりも遅い場合には、ライン全体の速度が遅くなり、生産性が悪化することになる。なおここで、注湯時間とは注湯機から鋳型に対し注湯する時間のことであり、給湯時間とは、注湯機に溶湯を補給する時間のことである。
【０００５】
そこで、本発明は、上記の問題を解決するため、注湯時間を確保し、かつ注湯設備を高速化することを目的とする。
【課題を解決するための手段】
【０００６】
本発明の注湯設備は、造型された鋳型を搬送する上流側搬送ラインと、注湯された鋳型を搬送する下流側搬送ラインとの間に配設される注湯設備であって、注湯位置が前記２つの搬送ラインの平行方向に並列になるように配設された２台の注湯機と、該２台の注湯機の前方位置における前記２つの搬送ライン間に前記２つの搬送ラインに直交する方向に設置された２台のトラバーサと、該トラバーサ上にそれぞれ載置され該トラバーサ上を走行可能な走行台車と、該走行台車のそれぞれに設置され鋳型を上流側搬送ラインから下流側搬送ラインに搬送可能なローラユニットと、を備えたことを特徴とする。
【発明の効果】
【０００７】
本発明の注湯設備は、２台の注湯機とトラバーサを備え、上流側注湯機が注湯を行っている間には下流側注湯機に対する給湯及び鋳型の搬入、搬出を行い、下流側注湯機が注湯を行っている間には上流側注湯機に対する給湯及び鋳型の搬入、搬出を行うようにし、この動作を交互に繰り返すようにしたので、一つの注湯機を用いて造型ラインより搬送されてくる鋳型に対し１個ずつ注湯する従来の注湯設備よりも、必要な注湯時間をけずることなく注湯速度を向上させることができる。
【発明を実施するための最良の形態】
【０００８】
以下、添付図面に基づいて本発明の実施の形態を詳細に説明する。本発明の注湯設備は、図１及び図２に示すように、造型機で造型された鋳型を搬送する上流側搬送ライン１ａと注湯された鋳型を搬送する下流側搬送ライン１ｂとの間に配設され、注湯位置が前記２つの搬送ラインの平行方向に並列になるように注湯機２ａ，２ｂが配設される。２台の注湯機の前方位置における前記２つの搬送ライン間には、トラバーサ３ａ，３ｂが前記２つの搬送ラインに直交する方向に設置され、トラバーサ３ａにはローラユニット６ａ，６ｂを備えた走行台車４ａ，４ｂが、トラバーサ３ｂにはローラユニット７ａ，７ｂを備えた走行台車５ａ，５ｂが、それぞれ載置される。それぞれの走行台車は、ピニオンが付属されたサーボモータ８を駆動させることにより、ラック９を介してトラバーサ上を走行可能であり、走行台車４ａ，５ａはトラバーサ上の注湯機側位置１１及び搬送位置１２間を、走行台車４ｂ，５ｂはトラバーサ上の搬送位置１２及び反注湯機側位置１３間を移動可能である。また、それぞれのローラユニットは、減速モータ１０により駆動され、鋳型を上流から下流方向に搬送可能である。
【０００９】
次に、図３から図９を用いて、本発明の注湯設備の動作について説明する。図中のＭ１〜Ｍ６の番号は鋳型を示すものであり、説明の便宜のために、番号を振り分けている。図中の太矢印は鋳型又は走行台車の動線を示す。
【００１０】
まず、図３は、注湯を完了された鋳型Ｍ１が注湯機側位置１１から搬送位置１２に移動された状態を示す。この状態において、注湯機２ａは注湯位置にあって鋳型Ｍ２に対して注湯中であり、注湯機２ｂは給湯位置へ移動して給湯を開始する。
【００１１】
図４は、図３に示す状態から、ローラユニット７ａを駆動させ鋳型Ｍ１を下流側搬送ライン１ｂに搬出すると共に、上流側搬送ライン１ａから搬入された鋳型Ｍ３をローラユニット６ｂを駆動させることによりトラバーサ３ｂ上の搬送位置１２、即ち走行台車５ａ上に載置した状態を示す。この状態において、注湯機２ａは依然として鋳型Ｍ２に対し注湯中であり、注湯機２ｂは給湯を行っている。
【００１２】
図５は、図４に示す状態から、走行台車５ａを注湯機側位置１１に移動させることにより鋳型Ｍ３を注湯機側位置１１に移動させると共に、走行台車５ｂを搬送位置１２に移動させた状態を示す。走行台車５ａ及び５ｂの移動が終了した後、給湯が完了し給湯位置から注湯位置に移動された注湯機２ｂは鋳型Ｍ３に対する注湯を開始する。注湯機２ｂの鋳型Ｍ３に対する注湯が開始された後、注湯機２ａの鋳型Ｍ２に対する注湯が完了される。
【００１３】
図６は、図５に示す状態から、走行台車４ｂを反注湯機側位置１３に移動させると共に走行台車４ａを搬送位置１２に移動させることにより鋳型Ｍ２を注湯機側位置１１から搬送位置１２に移動させた状態を示す。なお、注湯機２ａは注湯位置から給湯位置に移動され、給湯が開始される。
【００１４】
図７は、図６に示す状態から、ローラユニット６ａ，７ｂを駆動させることにより鋳型Ｍ２を下流側搬送ライン１ｂに搬出した後、鋳型Ｍ４を上流側搬送ライン１ａから走行台車４ａ上に搬入した状態を示す。この状態において、注湯機２ｂは依然として鋳型Ｍ３に対し注湯中であり、注湯機２ａは給湯を行っている。
【００１５】
図８は、図７に示す状態から、走行台車４ａを注湯機側位置１１に移動させることにより鋳型Ｍ４を注湯機側位置１１に移動させると共に、走行台車４ｂを搬送位置１２に移動させた状態を示す。走行台車４ａ及び４ｂの移動が終了した後、給湯が完了し給湯位置から注湯位置に移動された注湯機２ａは鋳型Ｍ４に対する注湯を開始する。注湯機２ａの鋳型Ｍ４に対する注湯が開始された後、注湯機２ｂの鋳型Ｍ３に対する注湯が完了される。
【００１６】
図９は、図８に示す状態から、走行台車５ｂを反注湯機側位置１３に移動させると共に走行台車５ａを搬送位置１２に移動させることにより鋳型Ｍ３を注湯機側位置１１から搬送位置１２に移動させた状態を示す。なお、注湯機２ｂは注湯位置から給湯位置に移動され、給湯が開始される。
【００１７】
図９に示す状態は図３に示す状態と同一であり、図９以降は、以上に説明した動作を繰り返す。
【００１８】
本実施の形態では、鋳型を搬送ラインの垂直方向に移動させる手段として各トラバーサに２台ずつ載置されそれぞれ１台のローラユニットが設置された走行台車を用いたが、これはトラバーサ上の反注湯機側位置１３から搬送位置１２までの距離と搬送位置１２から注湯機側位置１１までの距離が異なるためであり、これらの距離が等しいのであれば、各トラバーサに１台ずつ載置されそれぞれ２台のローラユニットが設置された走行台車を用いることも可能である。
【００１９】
また、本実施の形態では枠付鋳型に対して注湯を行っているが、本発明はこれに限定されるものではなく、無枠鋳型に対する注湯も可能である。
【００２０】
なお、本発明と同一の効果は、トラバーサを用いずに、２台の注湯機により２個の鋳型に対して同時に注湯を行い、注湯が完了した後、２台の注湯機に対して同時に給湯を行う（給湯を行っている間に、注湯済の鋳型を搬出し、未注湯の鋳型を注湯機前に搬入する）方法によっても実現できるが、このような方法を用いる場合には、２台の注湯機に対して同時に給湯する設備が必要となるため、本発明と比較してコストが高くなる。
【図面の簡単な説明】
【００２１】
【図１】図３におけるＡ−Ａ矢視図である。
【図２】本発明の注湯設備の平面図である。
【図３】本発明における注湯設備の動作の一例を示す平面図である。
【図４】本発明における注湯設備の動作の一例を示す平面図である。
【図５】本発明における注湯設備の動作の一例を示す平面図である。
【図６】本発明における注湯設備の動作の一例を示す平面図である。
【図７】本発明における注湯設備の動作の一例を示す平面図である。
【図８】本発明における注湯設備の動作の一例を示す平面図である。
【図９】本発明における注湯設備の動作の一例を示す平面図である。
【符号の説明】
【００２２】
１ａ    上流側搬送ライン
１ｂ    下流側搬送ライン
２ａ    上流側注湯機
２ｂ    下流側注湯機
３ａ    上流側トラバーサ
３ｂ    下流側トラバーサ
４ａ、４ｂ    上流側走行台車
５ａ、５ｂ    下流側走行台車
６ａ、６ｂ、７ａ、７ｂ    ローラユニット
８    サーボモータ
９    ラック
１０    減速モータ
１１    注湯機側位置
１２    搬送位置
１３    反注湯機側位置
Ｍ１、Ｍ２、Ｍ３、
Ｍ４、Ｍ５、Ｍ６      鋳型
【図１】
2009202215.tif 000003
【図２】
2009202215.tif 000004
【図３】
2009202215.tif 000005
【図４】
2009202215.tif 000006
【図５】
2009202215.tif 000007
【図６】
2009202215.tif 000008
【図７】
2009202215.tif 000009
【図８】
2009202215.tif 000010
【図９】
2009202215.tif 000011